(57)【要約】【課題】信号源から動作状態を制御する信号が与えられなくても、信号源の動作と不動作とに対応して動作と不動作とを制御することを可能にする。【解決手段】ＢＴＬアンプ１２からブースタアンプ１１に接続される一対の信号線１５，１６に、第１の抵抗素子１３および第２の抵抗素子１４の一端側をそれぞれ接続する。ＤＣ検知回路１９は、第１の抵抗素子１３と第２の抵抗素子１４との共通接続点の直流電圧を検知して、電源電圧Ｖｃｃの１／２の電圧が導出されていればＢＴＬアンプ１２が動作していると判定し、電力増幅回路２０を動作させる。交流信号の影響を受けずに、精度良く動作を制御することができる。【選択図】      図１
2004221885.tif 000002
【特許請求の範囲】
【請求項１】
信号源との間に一対の信号線が接続され、該信号線には該信号源の動作時と不動作時とで異なる直流電圧が導出され、該信号源の動作時に、該信号線間に相互間で位相が反転するように導出される交流信号を入力信号として電力増幅する電力増幅装置であって、
該一対の信号線から入力される交流信号を電力増幅するための動作状態が制御可能な増幅手段と、
該一対の信号線の一方に一端側が接続される第１の抵抗素子と、
該一対の信号線の他方に一端側が接続され、他端側が第１の抵抗素子の他端側に共通接続される第２の抵抗素子と、
第１の抵抗素子と第２の抵抗素子の他端側の共通接続部分の直流電圧を検知し、検知する直流電圧に従って該信号源が動作しているか否かを判断し、該信号源が動作していると判断するときに、増幅手段を電力増幅が可能な動作状態に制御する検知手段とを含むことを特徴とする電力増幅装置。
【請求項２】
前記信号源は、前記一対の信号線に、動作時には該信号源を駆動する電源の出力電圧に連動する直流電圧を導出し、
該信号源からは、該一対の信号線とともに、該電源の予め定める基準となる電圧を導出する電源基準線が接続され、
前記検知手段は、該電源基準線から入力される該電源の基準となる電圧に基づいて、前記信号源が動作しているか否かの判断を行うことを特徴とする請求項１記載の電力増幅装置。
【請求項３】
前記信号源は、一端に所定の電源電圧が印加されて他端が接地される単電源によって駆動され、
前記電圧基準線には、該単電源の電源電圧が導出されることを特徴とする請求項２記載の電力増幅装置。
【請求項４】
前記信号源は、一端に所定の電源電圧が印加されて他端が接地される単電源によって駆動され、
前記電圧基準線には、該単電源の接地電圧が導出されることを特徴とする請求項２記載の電力増幅装置。
【請求項５】
前記信号源は、前記単電源によって駆動されるＢＴＬ出力形式の電力増幅回路であり、該電力増幅回路からの出力を請求項１〜４のいずれかに記載の電力増幅装置で増幅することを特徴とする電力増幅システム。
【発明の詳細な説明】
【０００１】
【発明の属する技術分野】
本発明は、信号源から入力される交流信号を電力増幅してスピーカなどを駆動する電力増幅装置および電力増幅システム、特に信号源が動作中であるときのみ動作する電力増幅装置に電力増幅システムに関する。
【０００２】
【従来の技術】
従来から、半導体素子を電力増幅回路に使用する電力増幅装置では、出力トランスが不要で、一つの出力端子を有するプッシュプル回路として、ＳＥＰＰ（Ｓｉｎｇｌｅ  Ｅｎｄｅｄ  Ｐｕｓｈ−Ｐｕｌｌ）回路が広く用いられている。ＳＥＰＰ回路の出力電力は、電源電圧の２乗に比例し、出力インピーダンスに反比例する。ＳＥＰＰ回路を一端が電源電圧Ｖｃｃ、他端が接地電圧ＧＮＤ（＝０）の単電源で駆動すると、出力インピーダンスがＺであれば、最大限で１／４  ×  Ｖｃｃ  ×  Ｖｃｃ  ／  Ｚの出力が得られる。
【０００３】
自動車に搭載される車載用のオーディオ装置などでは、電源電圧  Ｖｃｃがたとえば１２Ｖ程度であり、駆動するスピーカの公称インピーダンスが４Ω程度であるので、９Ｗ程度の出力しか得られないことになる。また、単電源で駆動するＳＥＰＰ回路の出力端子には、電源電圧Ｖｃｃの１／２の直流電圧も導出される。このような出力端子と接地との間にスピーカを接続すると、スピーカに直流電流が流れてしまうので、コンデンサを接続して直流電流を阻止する必要がある。ただし、充分に低い周波数の交流信号を低いインピーダンスのスピーカに供給するためには、コンデンサは大容量とする必要がある。コンデンサを使用しないで、しかも出力を増大させることができる方法として、ＢＴＬ（Ｂａｌａｎｃｅｄ  ＴｒａｎｓｆｏｒｍｅｒＬｅｓｓ  ａｍｐｌｉｆｉｅｒ）と呼ばれる技術が知られている（たとえば特許文献１参照）。
【０００４】
ＢＴＬアンプでは、一対のＳＥＰＰ電力増幅回路に、一方に与える入力信号に対して、他方に与える入力信号が逆位相となるように動作させ、両方のＳＥＰＰ電力増幅回路の出力端子間に負荷となるスピーカなどを接続する。負荷の一端と他端とでは出力の位相が逆になるので、単独の場合の２倍の電圧が印加されることになり、４倍の出力電圧を供給することが可能になる。このため、車載用のオーディオ装置などには、ＢＴＬアンプが広く用いられている。ただし、スピーカのインピーダンスとしては４Ω程度が一般的であり、より低いインピーダンスにする場合は、大電流駆動に配慮する必要がある。
【０００５】
車載用のオーディオ装置は、一般に、ダッシュボードやセンターコンソールボックスなどと呼ばれる運転席近傍の限られたスペースに設置する必要があり、また、ＭＤ（Ｍｉｎｉ  Ｄｉｓｃ  ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）などの記録媒体の再生などを行うデッキや、チューナなども組込まれ、さらにナビゲーション装置などと一体化されていることもある。このような条件では、ＢＴＬアンプを用いてもあまり大出力とすることはできない。
【０００６】
オーディオパワーアンプの種類には、ブースタアンプのように、他のアンプの出力を入力として電力増幅し、より大電力の出力を得ることができるものがある。車載用のオーディオ装置などでは、前述のように出力電力が限られているので、より大電力の出力が必要な場合は、ブースタアンプを使用する。ブースタアンプは、たとえばトランクルームなど、必ずしも運転席近傍でない場所に設置して、低いインピーダンスのスピーカを駆動可能にして、大電力の出力を得ることができる。ただし、本体のオーディオ装置が動作していないときは、ブースタアンプも動作しないようにする必要がある。本体のオーディオ装置から、ＯＮ／ＯＦＦの動作状態に連動して外部の機器をＯＮ／ＯＦＦ制御するためのリモート信号などを取出すことができれば、そのリモート信号などでブースタアンプをＯＮ／ＯＦＦ制御すればよい。
【０００７】
図８は、リモート信号などを用いないで、ＯＮ／ＯＦＦを制御することが可能なブースタアンプ１を含む電力増幅システムの概略的な構成を示す。リモート信号などを取出すことができないとき、またはリモート信号の伝送に必要な信号線を省く場合などに、このような構成が用いられる。信号源となる送り側は、単電源のＢＴＬアンプ２であり、一対のＳＥＰＰ回路３，４の出力端子から一対の信号線５，６を介して出力が導出される。一対のＳＥＰＰ回路３，４には、たとえば一方のＳＥＰＰ回路３への入力を位相反転回路７で位相を反転させて他方のＳＥＰＰ回路４に入力することなどによって、相互に位相が反転している入力が与えられる。この結果、一方の信号線５に導出される信号の交流成分Ｓ＋とすると、他方の信号線４に導出される信号の交流成分Ｓ−は、Ｓ＋と振幅の絶対値は等しく、位相が反転しているようになる。このような一対の信号Ｓ＋，Ｓ−は、ブースタアンプ１内の差動増幅回路８で増幅され、さらに図示を省略しているパワーアンプで電力増幅される。ＢＴＬアンプ２に電源から電源電圧Ｖｃｃと接地電圧ＧＮＤとが供給されている場合、一対の信号線５，６には、ＢＴＬアンプ２の動作中、接地電圧Ｖｃｃを基準として、各ＳＥＰＰ回路３，４から電源電圧Ｖｃｃの１／２の直流電圧１／２ＶｃｃがＤＣバイアス電圧として導出されている。したがって、たとえば一つの信号線６の直流電圧をＤＣ検知回路９でＤＣバイアス電圧の有無を検知すれば、検知結果に応じてパワーアンプのＯＮ／ＯＦＦ制御を行うことができる。
【０００８】
図９は、信号線６の電圧波形の例を単純化して示す。信号線６には、ＢＴＬアンプ２の電源電圧Ｖｃｃの１／２のＤＣバイアス電圧１／２Ｖｃｃを基準として、Ｖｃｃ側とＧＮＤ側とに変化する交流成分Ｓ−が重畳される。ＤＣ検知回路９は、たとえばＧＮＤ電圧を基準として、１／２Ｖｃｃに近いＤＣバイアス電圧が信号線６から検知されるか否かでＢＴＬアンプ２が動作中であるか否かを判断する。これによって、入力信号の伝送に用いる信号線６を利用して、ブースタアンプ１のＯＮ／ＯＦＦも制御することが可能となる。
【０００９】
【特許文献１】
特願平１０−８７０７５号公報
【００１０】
【発明が解決しようとする課題】
図８に示すような構成では、信号線６に重畳される信号Ｓ−が大振幅になるとき、たとえば時刻ｔ付近で瞬間的な電圧値がＧＮＤ電圧に近くに達することがある。このため、ＤＣ検知回路９は、ＤＣバイアス≒０と検知してしまい、パワーアンプをＯＦＦに制御してしまう可能性がある。これを防ぐためには、コンデンサＣや抵抗Ｒ等でローパスフィルタなどを形成し、ＤＣ検知回路９への入力波形を鈍らせ、平均化させた信号などを入力することが考えられる。しかし、入力を鈍らせると、応答速度が遅れ、速やかなＯＦＦ動作やＯＮ動作を望むことができない。
【００１１】
さらに、送り側のＢＴＬアンプに供給される電源電圧Ｖｃｃが変動する場合、信号線５，６に導出されるＤＣバイアス電圧もこれにつれて変動するために、ＤＣ検知回路９では、正確なＯＦＦ検知を行うために、判定するスレッショルドレベルを変えなければならない。また、電源変動等によって、送り側のＢＴＬアンプ２のＧＮＤ電圧が変動するような場合も、スレッショルドレベルを変えないと正確なＯＦＦ検知を行うことができない。特許文献１には、無信号時に電源電圧を切換えるＢＴＬアンプの先行技術が開示されているけれども、ＢＴＬアンプ２自体に適用するものであり、ブースタアンプ１のＯＮ／ＯＦＦ制御に適用することはできない。
【００１２】
図８に示すようなＢＴＬアンプ２が車載オーディオ機器であり、ブースタアンプ１が外部に付加されている場合、ＢＴＬアンプ２とブースタアンプ１とには、共通の電源電圧Ｖｃｃが与えられ、接地も車体に対して共通に行われる。しかしながら、電源電圧Ｖｃｃは、車両での発電状態や電力消費状態に応じて変動し、接地電圧ＧＮＤも変動する。さらにノイズ成分が重畳して、ＤＣ検知回路９が誤判定する可能性が増大する。
【００１３】
本発明の目的は、信号源から動作状態を制御する信号が与えられなくても、信号源の動作と不動作とに対応して、精度良く動作と不動作とを制御することが可能な電力増幅装置および電力増幅システムを提供することである。
【００１４】
【課題を解決するための手段】
本発明は、信号源との間に一対の信号線が接続され、該信号線には該信号源の動作時と不動作時とで異なる直流電圧が導出され、該信号源の動作時に、該信号線間に相互間で位相が反転するように導出される交流信号を入力信号として電力増幅する電力増幅装置であって、
該一対の信号線から入力される交流信号を電力増幅するための動作状態が制御可能な増幅手段と、
該一対の信号線の一方に一端側が接続される第１の抵抗素子と、
該一対の信号線の他方に一端側が接続され、他端側が第１の抵抗素子の他端側に共通接続される第２の抵抗素子と、
第１の抵抗素子と第２の抵抗素子の他端側の共通接続部分の直流電圧を検知し、検知する直流電圧に従って該信号源が動作しているか否かを判断し、該信号源が動作していると判断するときに、増幅手段を電力増幅が可能な動作状態に制御する検知手段とを含むことを特徴とする電力増幅装置である。
【００１５】
本発明に従えば、電力増幅装置には、信号源から一対の信号線が接続され、その信号線には信号源の動作時と不動作時とで異なる直流電圧が導出される。電力増幅装置は、信号源の動作時に、信号線間に相互間で位相が反転するように導出される交流信号を入力信号として電力増幅するために、増幅手段と、第１の抵抗素子と、第２の抵抗素子と、検知手段とを含む。増幅手段は、一対の信号線から入力される交流信号を電力増幅するための動作状態が制御可能である。第１の抵抗素子および第２の抵抗素子は、一端側が一対の信号線の一方および他方にそれぞれ接続され、他端側が共通接続される。検知手段は、第１の抵抗素子と第２の抵抗素子の他端側の共通接続部分の直流電圧を検知し、検知する直流電圧に従って信号源が動作しているか否かを判断する。第１の抵抗素子と第２の抵抗素子の共通接続部分では、一対の信号線の相互間で位相が反転している交流信号は相互に打消し合い、振幅が減少または完全に消滅して、一対の信号線に共通に導出される直流電圧が得られる。検知手段は、この直流電圧の検知に従って信号源が動作していると判断するときに、増幅手段を電力増幅が可能な動作状態に制御するので、信号源から動作状態を制御する信号が与えられなくても、信号源の動作と不動作とに対応して、精度良く動作と不動作とを制御することが可能となる。
【００１６】
また本発明で、前記信号源は、前記一対の信号線に、動作時には該信号源を駆動する電源の出力電圧に連動する直流電圧を導出し、
該信号源からは、該一対の信号線とともに、該電源の予め定める基準となる電圧を導出する電源基準線が接続され、
前記検知手段は、該電源基準線から入力される該電源の基準となる電圧に基づいて、前記信号源が動作しているか否かの判断を行うことを特徴とする。
【００１７】
本発明に従えば、信号源はたとえば単電源駆動のＢＴＬアンプなどのように、電源電圧の１／２など、電源の出力電圧に連動する直流電圧を一対の信号線に導出する。信号源からは、一対の信号線とともに、電源の出力電圧に連動する直流電圧を導出する電源基準線が接続されるので、検知手段は、電源基準線から入力される直流電圧に基づき、電源の出力電圧が変動するような場合でも、精度良く信号源の動作状態の検知を行うことができる。
【００１８】
また本発明で、前記信号源は、一端に所定の電源電圧が印加されて他端が接地される単電源によって駆動され、
前記電圧基準線には、該単電源の電源電圧が導出されることを特徴とする。
【００１９】
本発明に従えば、電源基準線を介して、信号源を駆動する単電源の電源電圧が与えられるので、検知手段は、電源電圧の変動があって一対の信号線の直流電圧が変動しても、直流電圧の検知を行うスレッショルドレベルなどを電源電圧の変動に合わせて変化させ、信号源の動作を精度良く検知することができる。
【００２０】
また本発明で、前記信号源は、一端に所定の電源電圧が印加されて他端が接地される単電源によって駆動され、
前記電圧基準線には、該単電源の接地電圧が導出されることを特徴とする。
【００２１】
本発明に従えば、電源基準線を介して、信号源を駆動する単電源の接地電圧が与えられるので、検知手段は、接地電圧の変動があって一対の信号線の直流電圧が変動しても、直流電圧の検知を行うスレッショルドレベルなどを接地電圧の変動に合わせて変化させ、信号源の動作を精度良く検知することができる。
【００２２】
さらに本発明で、前記信号源は、前記単電源によって駆動されるＢＴＬ出力形式の電力増幅回路であり、該電力増幅回路からの出力を前述のいずれかに記載の電力増幅装置で増幅することを特徴とする電力増幅システムである。
【００２３】
本発明に従えば、ＢＴＬ出力形式の電力増幅回路を信号源として、さらに大きな出力電力を得るために電力増幅装置を外部に付加するような電力増幅システムで、電力増幅装置の動作をＢＴＬ出力形式の電力増幅回路の動作に連動して、容易かつ精度良く制御することができる。ＢＴＬ出力形式の電力増幅回路からは、ＯＮ／ＯＦＦの動作を制御する出力を電力増幅装置に接続する必要はなく、一対の信号線のみ、または単電源への接続部分から電源基準線を追加して電力増幅装置に接続するだけで、信号源の動作と不動作とに対応して、精度良く動作と不動作とを制御することが可能になる。
【００２４】
【発明の実施の形態】
図１は、本発明の実施の一形態としての電力増幅システム１０の概略的な電気的構成を示す。本実施形態の電力増幅システム１０は、ブースタアンプ１１を信号源としてのＢＴＬアンプ１２の外部に付加する電力増幅装置として形成される。ブースタアンプ１１の入力側には、一対の抵抗素子１３，１４が設けられる。ＢＴＬアンプ１２とブースタアンプ１１との間に一対の信号線１５，１６が接続される。一対の信号線１５，１６には、ＢＴＬアンプ１２の動作時には電源電圧Ｖｃｃの１／２の電圧が導出されるけれども、不動作時に一対の信号線１５，１６の電圧は接地電圧ＧＮＤとなる。すなわち、一対の信号線１５，１６にはＢＴＬアンプ１２の動作時と不動作時とで異なる直流電圧が導出される。ＢＴＬアンプ１２の動作時に、信号線１５，１６間には、相互間で位相が反転するような交流信号が出力され、ブースタアンプ１１への入力信号となる。ブースタアンプ１１は、この入力信号を電力増幅する。
【００２５】
ブースタアンプ１１には、一対の抵抗素子１３，１４とともに、基準電圧源１７、差動増幅回路１８、ＤＣ検知回路１９および電力増幅回路２０が含まれる。電力増幅回路２０は、一対の信号線１５，１６から差動増幅回路１７に入力される交流信号を、さらに電力増幅するための動作状態が制御可能な増幅手段となる。電力増幅回路２０の動作状態は、たとえば電源にリレーや電子的なスイッチング手段を設けてＯＮ／ＯＦＦ制御することができる。また、バイアスの調整によっても、実質的なＯＮ／ＯＦＦ制御を行うことができる。信号源が動作中で、入力信号を増幅する必要があるときには、電力損失が大きくなっても音質を優先して大きいバイアス電流を流し、信号源が不動作となると、バイアス電流を小さくして電力損失を低減すればよい。
【００２６】
なお、差動増幅回路１８で電力増幅回路２０の機能をも備えるようにすることもできる。また、差動増幅回路１８と電力増幅回路２０との間に、他の回路を介在させることもできる。
【００２７】
第１の抵抗素子１３は、一対の信号線１５，１６の一方の信号線１５に一端側が接続される。第２の抵抗素子１４は、一対の信号線１５，１６の他方の信号線１６に一端側が接続され、他端側が第１の抵抗素子１３の他端側に共通接続される。ＤＣ検知回路１９は、第１の抵抗素子１３と第２の抵抗素子１４の他端側の共通接続部分の直流電圧を基準電圧源１７検知する。直流電圧の検知は、たとえば基準電圧源１７から出力されるスレッショルド電圧と比較して行うことができる。ＤＣ検知回路１９は、検知する直流電圧に従ってＢＴＬアンプ１２が動作しているか否かを判断し、ＢＴＬアンプ１２が動作していると判断するときに、電力増幅回路２０を電力増幅が可能な動作状態に制御する。
【００２８】
図２は、第１の抵抗素子１３と第２の抵抗素子１４との共通接続点に表れる信号波形を示す。一対の信号線１５，１６には、一点鎖線および二点鎖線で示すような相互に位相が逆になっている信号波形が導出される。第１の抵抗素子１３と第２の抵抗素子１４の共通接続点には、実線で示すように、交流成分が相互に打消されて電源電圧Ｖｃｃの１／２となる直流電圧が得られる。なお、第１の抵抗素子１３および第２の抵抗素子１４は、抵抗値が等しいことが望ましいけれども、必ずしも同一でなくてもよい。抵抗値が異なると、共通接続点で交流成分が相互に打消されないで残存する成分が生じるけれども、振幅は減少するので、交流信号の振幅が大きくなっても、図９に示すような誤判定を行う可能性を低減することができる。ＤＣ検知回路１９は、この直流電圧の検知に従ってＢＴＬアンプ１２が動作していると判断するときに、電力増幅回路２０を電力増幅が可能なＯＮの動作状態に制御するので、ＢＴＬアンプ１２からＯＮ／ＯＦＦの動作状態を制御する信号が与えられなくても、ＢＴＬアンプ１２のＯＮ／ＯＦＦに対応して、精度良くＯＮ／ＯＦＦを制御することが可能となる。
【００２９】
図３は、図１の電力増幅システム１０で、サブウーファ２１を駆動するオーディオシステムの概略的な構成を示す。ＢＴＬアンプ１２からは、いわゆる３Ｄ方式や５．１ｃｈサラウンド方式の重低音用周波数成分の信号が導出される。ブースタアンプ１１内にには、差動増幅回路１８と電力増幅回路２０との間に、たとえば音量調整回路２２やイコライザ回路２３などが設けられ、音量調整やサブウーファ２１の特性に合わせた音質調整などを行うことができる。サブウーファ２１として、比較的小型なスピーカで充分な低音域まで再生しようとすると、音響変換の能率は低くなり、電力増幅回路２０から大きな出力電力で駆動する必要がある。したがって、電力増幅回路２０の消費電力も大きくなり、ＢＴＬアンプ１２が動作していないときには、少なくとも電力増幅回路２０の消費電力も低減する必要がある。本実施形態では、一対の信号線１５，１６のみをＢＴＬアンプ１２とブースタアンプ１１との間に接続するだけで、電力増幅回路２０の消費電力を低減することができる。
【００３０】
図４は、本発明の実施の他の形態である電力増幅システム３０の概略的な電気的構成を示す。本実施形態で、図１の実施形態に対応する部分は、同一の参照符を付し、重複する説明を省略する。本実施形態でのブースタアンプ３１には、ＢＴＬアンプ１２から一対の信号線１５，１６とともに、単電源の電源電圧Ｖｃｃを電源基準線３２で入力する。電圧基準線３２を介して入力される電源電圧Ｖｃｃは、アッテネータ３７で分圧されて、ＤＣ検知回路３９にスレッショルド電圧として入力される。ＤＣ検知回路３９は、電源基準線３２から入力される電圧に基づいて、ＢＴＬアンプ１２が動作しているか否かの判断を行い、判断結果に従って電力増幅回路２０のＯＮ／ＯＦＦを制御する。
【００３１】
図５は、図４の実施形態での検出動作を示す。電源電圧Ｖｃｃに変動があって、ＤＣ検知回路３９へ入力する検知電圧が変動しても、アッテネータ３７から与えられるスレッショルド電圧も対応して変動するので、ＢＴＬアンプ１２の動作または不動作の判定を精度良く行うことができる。電圧基準線３２の接続は、ＢＴＬアンプ１２の電源電圧Ｖｃｃへの接続端子などから行えばよい。
【００３２】
図６は、本発明の実施のさらに他の形態である電力増幅システム４０の概略的な電気的構成を示す。本実施形態で、図１または図４の実施形態に対応する部分は、同一の参照符を付し、重複する説明を省略する。本実施形態でのブースタアンプ４１には、ＢＴＬアンプ１２から一対の信号線１５，１６とともに、単電源の接地電圧ＧＮＤを電源基準線４２で入力する。電圧基準線４２を介して入力される接地電圧ＧＮＤに基準電圧源４７が接続され、ＤＣ検知回路４９にスレッショルド電圧を与える。ＤＣ検知回路４９は、電源基準線４２から入力される電圧に基づいて、ＢＴＬアンプ１２が動作しているか否かの判断を行い、判断結果に従って電力増幅回路２０のＯＮ／ＯＦＦを制御する。
【００３３】
図７は、図５の実施形態での検出動作を示す。接地電圧ＧＮＤに変動があって、ＤＣ検知回路４９へ入力する検知電圧が変動しても、基準電圧源４７から与えられるスレッショルド電圧も対応して変動するので、ＢＴＬアンプ１２の動作または不動作の判定を精度良く行うことができる。電圧基準線４２の接続は、ＢＴＬアンプ１２の接地電圧ＧＮＤへの接続端子などから行えばよい。
【００３４】
図４の実施形態や図６の実施形態の電力増幅システム３０，４０も、図１の実施形態の電力増幅システム１０と同様に使用することができ、しかも制御の精度を高めることができる。なお、ＢＴＬアンプ１２から、電源電圧Ｖｃｃと接地電圧ＧＮＤの両方を後段の電力増幅装置に入力して、そのＯＮ／ＯＦＦ制御に用いることもできる。また、信号源としては、ＢＴＬアンプばかりではなく、ＤＣバイアスに交流成分が平衡に導出されるようなものであれば、同様に本発明を適用することができる。
【００３５】
【発明の効果】
以上のように本発明によれば、検知手段は、電力増幅装置に信号源から接続される一対の信号線に共通に導出される直流電圧の検知に従って信号源が動作していると判断するときに、増幅手段を電力増幅が可能な動作状態に制御するので、信号源から動作状態を制御する信号が与えられなくても、信号源の動作と不動作とに対応して、精度良く動作と不動作とを制御することができる。
【００３６】
また本発明によれば、信号源はたとえば単電源駆動のＢＴＬアンプなどのように、電源電圧の１／２など、電源の出力電圧に連動する直流電圧を一対の信号線に導出するので、検知手段は、電源基準線から入力される直流電圧に基づき、電源の出力電圧が変動するような場合でも、精度良く信号源の動作状態の検知を行うことができる。
【００３７】
また本発明によれば、検知手段は、信号源を駆動する単電源の電源電圧を基準にして、電源電圧の変動があっても、直流電圧の検知を行うスレッショルドレベルなどを電源電圧の変動に合わせて変化させ、信号源の動作を精度良く検知することができる。
【００３８】
また本発明によれば、検知手段は、信号源を駆動する単電源の接地電圧を基準にして、接地電圧の変動があっても、直流電圧の検知を行うスレッショルドレベルなどを接地電圧の変動に合わせて変化させ、信号源の動作を精度良く検知することができる。
【００３９】
さらに本発明によれば、ＢＴＬ出力形式の電力増幅回路からの出力を外部に付加される電力増幅装置でさらに増幅するような電力増幅システムで、電力増幅装置の動作をＢＴＬ出力形式の電力増幅回路の動作に連動して、容易かつ精度良く制御することができる。ＢＴＬ出力形式の電力増幅回路からは、ＯＮ／ＯＦＦの動作を制御する出力を電力増幅装置に接続する必要はなく、信号源の動作と不動作とに対応して、精度良く動作と不動作とを制御することが可能になる。電力増幅装置は、動作が必要なときにのみ動作し、無駄な電力消費などを避けることができる。
【図面の簡単な説明】
【図１】本発明の実施の一形態である電力増幅システム１０の概略的な電気的構成を示すブロック図である。
【図２】図１のＤＣ検知回路１９に入力される検知電圧の波形図である。
【図３】図１の電力増幅システム１０を用いてサブウーファ２１を駆動するオーディオシステムの概略的な電気的構成を示すブロック図である。
【図４】本発明の実施の他の形態である電力増幅システム３０の概略的な電気的構成を示すブロック図である。
【図５】図３のＤＣ検知回路３９に入力される検知電圧の波形図である。
【図６】本発明の実施のさらに他の形態である電力増幅システム４０の概略的な電気的構成を示すブロック図である。
【図７】図６のＤＣ検知回路４９に入力される検知電圧の波形図である。
【図８】従来からの電力増幅システムの概略的な電気的構成を示すブロック図である。
【図９】図８のＤＣ検知回路９に入力される検知電圧の波形図である。
【符号の説明】
１０，３０，４０  電力増幅システム
１１，３１，４１  ブースタアンプ
１２  ＢＴＬアンプ
１３  第１の抵抗素子
１４  第２の抵抗素子
１５、１６  信号線
１７，４７  基準電圧源
１８  差動増幅回路
１９，３９，４９  ＤＣ検知回路
２０  電力増幅回路
２１  サブウーファ
３２，４２  電圧基準線
３７  アッテネータ
【図１】
2004221885.tif 000003
【図２】
2004221885.tif 000004
【図３】
2004221885.tif 000005
【図４】
2004221885.tif 000006
【図５】
2004221885.tif 000007
【図６】
2004221885.tif 000008
【図７】
2004221885.tif 000009
【図８】
2004221885.tif 000010
【図９】
2004221885.tif 000011